(57)【要約】    【課題】  基布の一方の面にパイルにより構成された拭清掃部を備えた清掃布において、導電性を有する可撓性条体を利用して清掃対象の除電を効果的に行い、帯電による塵埃付着を防いで清掃による効果を高めることができる清掃布の提供。    【解決手段】  清掃布Ａは、シート状基部Ｓの両側縁部Ｓ１の間に、パイルＰにより構成された拭清掃部Ｃを備える。導電性糸Ｔをシート状基部Ｓに対し長手方向に縫着しつつ、拭清掃部Ｃを構成するパイルＰの先端位置よりも先端部が突出する多数のループを導電性立毛体Ｅとして形成する。導電性糸Ｔは多数本が平行状をなし、拭清掃部Ｃ全体に多数の導電性立毛体Ｅを満遍なく設ける。【選択図】      図１
2008278915.tif 000002
【特許請求の範囲】
【請求項１】
パイルにより構成された拭清掃部をシート状基部の少なくとも一方の面に備えた清掃布であって、
前記拭清掃部に、先端部がパイルの先端位置よりも突出する多数の導電性立毛体を有し、
前記導電性立毛体は、導電性を有する可撓性条体からなるものであることを特徴とする清掃布。
【請求項２】
上記導電性立毛体の基端部がシート状基部に結合している請求項１記載の清掃布。
【請求項３】
上記多数の導電性立毛体が１又は２以上の群を構成し、各導電性立毛体群において、その導電性立毛体群を構成する導電性立毛体が互いに導電可能に接続されている請求項１又は２記載の清掃布。
【請求項４】
拭清掃部をシート状基部の一方の面に備え、そのシート状基部の他方の面に、導電性立毛体に導電可能に接続された導電部が露出している請求項１、２又は３記載の清掃布。
【請求項５】
少なくとも、拭清掃部の主な拭方向における一端の端縁部付近の全長又は両端の各端縁部付近の全長にわたり、多数の導電性立毛体が満遍なく設けられている請求項１乃至４の何れか１項に記載の清掃布。
【請求項６】
少なくとも、拭清掃部の周縁部付近の全周にわたり、多数の導電性立毛体が満遍なく設けられている請求項１乃至４の何れか１項に記載の清掃布。
【請求項７】
拭清掃部全体に多数の導電性立毛体が満遍なく設けられている請求項１乃至４の何れか１項に記載の清掃布。
【発明の詳細な説明】
【技術分野】
【０００１】
本発明は、柄付きの清掃布保持用ヘッドに保持した状態又はその他の態様で、木や合成樹脂等の各種素材からなる床面、壁面、家具、自動車内等の清掃対象を拭いて清掃を行うための、パイルにより構成された拭清掃部を備えた清掃布に関する。
【背景技術】
【０００２】
特開平４−９６７２３号公報（特許文献１）には、被清掃物体の表面に付着した通常の塵埃や汚れを拭いて除去するのに適した布を基礎とし、この基礎布の両表面の上に、導電性を有し且つ静電気散逸性に優れた糸で、基礎布の表面に沿い且つ前記糸の少なくとも表面の一部が確実に其処の基礎布の表面よりも突出しているように、任意の方向、形状の縫いを施したことを特徴とする静電気除去機能つき清掃布が開示されている。
【０００３】
この清掃布によれば、塵埃除去に適した基礎布の表面に、静電気放電糸による縫いが、ほぼ糸径だけ突出して施されているから、被清掃物体表面の静電荷は、静電気放電糸に接触した賽に清掃布の側に移動し、更にこの糸の優れた静電気散逸特性によって大気中に放逸されるものと記載されている。
【０００４】
また実開平４−１０２９５５号公報（特許文献２）には、払拭により被清掃物の表面に付着した塵埃を除去する清掃布において、該清掃布の周囲に導電性または制電性を有する繊維を縫着することを特徴とする清掃布が開示されている。
【０００５】
この清掃布を用いて非導電性の被清掃物の表面を拭くと、その表面に付着した塵埃は清掃布のために除去される。この時摩擦電気が生じて静電気が該表面に帯電する。そして該帯電部位が縫着した導電性繊維に接触することにより静電気は導電性繊維→人体→大地によって消失するか、導電性繊維のコロナ放電によって消失すると記載されている。
【０００６】
これらの清掃布は、清掃対象を拭いた場合の摩擦による静電荷を除去することにより、清掃後の清掃対象面に塵埃が付着して清掃効果が害されることを防ぐものである。
【０００７】
しかしながら、基布の一方の面にパイルにより構成された拭清掃部を備えた清掃布を用いて、パイルにより構成された拭清掃部により清掃対象を拭いた場合に、清掃対象の除電を効果的に行って清掃の効果を高めることができる清掃布は見当たらない。
【特許文献１】特開平４−９６７２３号公報
【特許文献２】実開平４−１０２９５５号公報
【発明の開示】
【発明が解決しようとする課題】
【０００８】
本発明は、従来技術にした上記のような課題に鑑み行われたものであって、その目的とするところは、基布の一方の面にパイルにより構成された拭清掃部を備えた清掃布において、導電性を有する可撓性条体を利用して清掃対象の除電を効果的に行い、帯電による塵埃付着を防いで清掃効果を高めることができる清掃布を提供することにある。
【課題を解決するための手段】
【０００９】
本発明者は、この目的を達成するために研究を重ねた。
【００１０】
先ず、基布の一方の面にパイルにより構成された拭清掃部を備えた清掃布における基布に、前記文献記載の技術のように導電性糸等を縫着した清掃布を検討した。この清掃布のパイルにより構成された拭清掃部により清掃対象を拭いた場合、導電性糸が清掃対象に接し難いため、清掃対象についての除電効果はほとんどなかった。
【００１１】
次に、拭清掃部を構成するパイルの一部を導電性糸により構成した清掃布について除電効果を検討した。この清掃布のパイルにより構成された拭清掃部により清掃対象を拭いた場合、ある程度の除電効果は得られたが、清掃後の清掃対象に対する塵埃付着を防いで清掃効果を高める上で十分なものとは言えなかった。
【００１２】
そこで、更に検討を重ねて本発明を完成するに至ったものである。
【００１３】
上記目的を達成する本発明の清掃布は、
パイルにより構成された拭清掃部をシート状基部の少なくとも一方の面に備えた清掃布であって、
前記拭清掃部に、先端部がパイルの先端位置よりも突出する多数の導電性立毛体を有し、
前記導電性立毛体は、導電性を有する可撓性条体からなるものであることを特徴とする。
【００１４】
この清掃布の場合、導電性を有する可撓性条体からなる多数の導電性立毛体の先端部が拭清掃部におけるパイルの先端位置よりも突出しているため、拭清掃部により清掃対象を拭いた際に、導電性立毛体のうちパイルよりも突出した部分が、清掃対象に対し線接触状に接触することとなる。
【００１５】
従って、拭清掃部により清掃対象を拭くことによって、拭清掃部を構成するパイルが清掃対象の表面に接しつつ移動すると共に、多数の導電性立毛体が、それぞれ、清掃対象の表面に線接触状に比較的広く触れつつ清掃が行われる。
【００１６】
そのため、パイルにより構成された拭清掃部をシート状基部の少なくとも一方の面に備えた清掃布を用いて、パイルにより構成された拭清掃部により清掃対象を拭いた場合に、清掃対象が帯電していたとしても、清掃対象について効果的に除電することができ、帯電による塵埃付着を防いで清掃による効果を高めることができる。
【００１７】
導電性立毛体によって清掃対象から除電された電荷は、例えば、コロナ放電等により大気に放電されることにより、或いは、導電性立毛体から、清掃作業者および／または清掃布保持器具を経て、大地等に逃げることにより、清掃布から失われる。
【００１８】
本発明の清掃布は、上記多数の導電性立毛体が１又は２以上の群を構成し、各導電性立毛体群において、その導電性立毛体群を構成する導電性立毛体が互いに導電可能に接続されているものとすることができる。
【００１９】
この場合、多数の導電性立毛体が互いに導電可能に接続されることにより除電効果が高まると共に、コロナ放電がより効果的に行われ得る。
【００２０】
また本発明の清掃布は、拭清掃部をシート状基部の一方の面に備え、そのシート状基部の他方の面に、導電性立毛体に導電可能に接続された導電部が露出しているものとすることができる。
【００２１】
導電性立毛体によって清掃対象から除電された電荷は、前記の例のように清掃布から失われる。特に、電荷が清掃作業者および／または清掃布保持器具を経て大地等に逃げる場合、導電性立毛体に導電可能に接続されてシート状基部の他方の面に露出した導電部を通じ、清掃作業者および／または清掃布保持器具を経て、大地等に効果的に逃がすことができ、除電効果及び清掃効果を高めることができる。
【００２２】
本発明の清掃布は、少なくとも、拭清掃部の主な拭方向における一端の端縁部付近の全長又は両端の各端縁部付近の全長にわたり、多数の導電性立毛体が満遍なく設けられているものとすることができる。
【００２３】
この場合、主な拭方向において拭清掃部を移動させつつ清掃対象を拭いた場合、特に、拭清掃部の主な拭方向における一端のうち多数の導電性立毛体が満遍なく設けられている一端を後方側にして拭いた場合に、十分な除電効果が得られ、清掃効果を高めることができる。
【００２４】
本発明の清掃布は、少なくとも、拭清掃部の周縁部付近の全周にわたり、多数の導電性立毛体が満遍なく設けられているものとすることができる。
【００２５】
この場合、何れの方向において拭清掃部を移動させつつ清掃対象を拭いた場合にも、十分な除電効果が得られ、清掃効果を高めることができる。
【００２６】
本発明の清掃布は、拭清掃部全体に多数の導電性立毛体が満遍なく設けられているものとすることができる。
【００２７】
この場合、何れの方向において拭清掃部を移動させつつ清掃対象を拭いた場合にも、より効果的に清掃対象の除電を行って、清掃効果を高めることができる。
【発明の効果】
【００２８】
本発明の清掃布によれば、パイルにより構成された拭清掃部に、導電性を有する可撓性条体からなる多数の導電性立毛体を有し、それらの導電性立毛体の先端部が拭清掃部におけるパイルの先端位置よりも突出する状態であるため、パイルにより構成された拭清掃部をシート状基部の少なくとも一方の面に備えた清掃布を用いて、パイルにより構成された拭清掃部により清掃対象を拭いた場合に、清掃対象が帯電していたとしても、清掃対象について効果的に除電することができ、帯電による塵埃付着を防いで清掃効果を高めることができる。
【発明を実施するための最良の形態】
【００２９】
(1)清掃対象
本発明の清掃布の清掃対象に特に限定はない。例えば、木、プラスチック、コンクリート、モルタル、タイル等の各種材料製の床面、畳、壁面、机の天板面等の各種家具、自動車車内等の様々な面に適宜使用し得る。
(2)清掃布の使用方法
【００３０】
本発明の清掃布は、パイルにより構成された拭清掃部により清掃対象を拭くことに使用される。清掃対象を拭く場合には、例えば清掃布を柄又は把手等を備えた清掃布保持用ヘッド等の清掃器具の清掃布保持部に保持して使用するものとすることができる他、使用者が手で直接保持して使用することができるものであってもよい。
(3)清掃布保持手段
【００３１】
本発明の清掃布を、清掃器具の清掃布保持部に保持する手段は特に限定されない。例えば、拭清掃部を下向きにした清掃布の主要部を清掃布保持部の下側に位置させてその清掃布の一部を清掃布保持部の上側又は側部等に設けたクリップ等の挟持手段等により挟持して保持するものとすることができるほか、拭清掃部を下向きにした清掃布の上面側を面ファスナー等により清掃布保持部に接合するものとすることもできる。
(4)シート状基部
【００３２】
例えば各種繊維製の織布又は不織布をシート状基部（基布）として用いることができるが、これに限らない。メッシュ素材等の布以外の材料を用いることもできる。
(5)拭清掃部
【００３３】
パイルにより構成された拭清掃部は、シート状基部の一方の面（通常は底面）にのみ備えるのが、より一般的であるが、シート状基部の両方の面に拭清掃部を備えるものとすることもできる。
【００３４】
例えば、本発明の清掃布は、拭清掃部をシート状基部の両方の面に備え、
導電性を有する可撓性条体からなる多数の導電性立毛体が、その導電性立毛体の先端部が前記両方の面の各拭清掃部におけるパイルの先端位置よりも突出する状態をなすものとすることができる。この場合の導電性立毛体は、シート状基部に結合しているものとすることができる。またこの場合、一方の面の拭清掃部における導電性立毛体と他方の面の拭清掃部における導電性立毛体が導電可能に接続されているものとすることができる。
(6)パイル
【００３５】
拭清掃部を構成するパイルは、例えばループパイル、又はカットパイル、或いはそれら両方とすることができる。パイルは、例えば拭清掃部全体に密植された状態をなすものとすることができる。パイルの素材としては、例えば、吸水性糸及び非吸水性糸の一方又は両方を用いることができ、それらの繊維は合成繊維であっても天然繊維であってもよい。
【００３６】
吸水性糸としては、例えば極細合成繊維製糸を用いることができる。極細合成繊維は、例えば、海島型複合繊維の海成分を溶剤や分解剤で分離することにより製造したり、２成分以上からなる剥離型の分割繊維を使用して分離させることにより製造する等の公知の製法により製造することができる。
【００３７】
非吸水性糸としては、非吸水性の合成繊維糸を用いることができる。
【００３８】
シート状基部の底面からのパイルの長さは、例えば２乃至３０ｍｍ程度とすることができるが、好ましくは３乃至１０ｍｍである。パイルの長さは実質上一定であるものとすることができるが、導電性立毛体の除電効果を損なわないものであれば必ずしも一定であることを要するものではない。
(7)導電性立毛体
【００３９】
導電性立毛体は導電性を有する可撓性条体からなるものである。導電性立毛体を構成し得る導電性を有する可撓性条体の例としては、硫化銅等の導電性付与物質が化学結合されることにより導電性が付与された合成繊維糸、金属メッキ繊維糸、金属蒸着繊維糸、カーボン含有繊維糸、合成繊維および／または天然繊維と繊維状金属や炭素繊維等の導電繊維からなる混紡糸、導電性ポリマー繊維糸、カーボンブラック又はその他の導電材料を含有する合成樹脂製又は合成若しくは天然ゴム製の条体、導電性ポリマー製の条体等を挙げることができる。導電性立毛体としては、例えば、０．１乃至１００デニールの単繊維糸又は撚糸を用いることができる。
【００４０】
導電性立毛体に用いる導電性を有する可撓性条体は、木や合成樹脂等の各種素材からなる床面、壁面、家具、自動車内等の清掃対象の除電を行う上で必要な程度の導電性を有するものであればよい。
【００４１】
導電性立毛体に用いる導電性を有する可撓性条体の可撓性の程度や硬さ等の物性は、清掃対象に応じ、清掃のために拭いた場合にその清掃対象を実質上傷付けることのない程度とすることが望ましい。
【００４２】
導電性立毛体は、例えば、ループパイルのようなループ状及びカットパイルのようなカット状の一方又は両方の混合とすることができる。１本の可撓性条体により、互いに導電可能に接続された複数の導電性立毛体を形成するには、１本の可撓性条体により多数のループ状の導電性立毛体を形成するものとすることが好ましい。一方、清掃対象における突起部等に引っ掛って切断や脱離等の障害が発生することを防ぐ上で導電性立毛体をカット状とすることができる。
【００４３】
導電性立毛体は、上向きの状態で自立可能なものでもよく、自立性が高くないか低いもの、例えば、単独では自立性が低いがパイル中で周囲のパイルにより支えられて起立状をなすものでもよい。
【００４４】
導電性立毛体が拭清掃部におけるパイルの先端位置より突出する部分の長さは、例えば１ｍｍ以上、好ましくは２ｍｍ以上又は３ｍｍ以上である。４乃至１０ｍｍ程度とすることもできる。清掃対象の性状或いは拭清掃部の物性や寸法等に応じ、十分な除電効果を得る上で、導電性立毛体がパイルの先端位置より突出する部分の長さを調整することができる。導電性立毛体が拭清掃部におけるパイルの先端位置より突出する部分は、上向きの状態において起立状態をなすものであってもよく、起立状態をなさないものであってもよい。
(8)導電性立毛体の結合
【００４５】
導電性立毛体の基端部は、シート状基部に結合したものとすることが望ましい。シート状基部に対する導電性立毛体の基端部の結合は、例えば、導電性立毛体を構成する導電性を有する可撓性条体をシート状基部に縫着することにより、或いは、例えば導電性立毛体の基端部をシート状基部に貫通させてシート状基部の裏側に接着することにより結合させることができる。なお、導電性立毛体の基端部をパイルに結合することも可能である。
(9)導電性立毛体の導電可能な接続
【００４６】
導電性立毛体が互いに導電可能に接続される態様としては、例えば、各導電性立毛体を構成する導電性の可撓性条体同士が、１本の可撓性条体により構成されているものや、導電性立毛体同士が直接接続されているもののほか、導電性立毛体同士が他の導電性材料を介して接続されているものであってもよい。
【００４７】
導電性立毛体が互いに導電可能に接続されている１又は２以上の導電性立毛体群を構成している場合、導電性立毛体群は、それぞれ多数の導電性立毛体からなるものとすることが好ましい。導電性立毛体群の態様の例としては、一定の直線若しくは曲線上に多数の導電性立毛体が間隔おきに配置されたもの、一定の面上に多数の導電性立毛体が分散配置されたもの等を挙げることができる。
(10)シート状基部の他方の面における導電性立毛体に導電可能に接続された導電部の露出
【００４８】
導電性立毛体に導電可能に接続された導電部としては、例えば、導電性立毛体を構成する導電性の可撓性条体のうちシート状基部の他方の面に露出した部分、導電性立毛体に接続された別の導電性材料のうちシート状基部の他方の面に露出した部分等を挙げることができる。
(11)拭清掃部の主な拭方向
【００４９】
拭清掃部の主な拭方向というのは、清掃布により清掃対象面を拭く場合の主たる方向であり、長手方向とそれに直交する短手方向が定まる形状（例えば長方形、正方形、楕円形等）の場合、通常、短手方向又は長手方向である。このうち、拭く範囲が広くなる短手方向が主たる方向となることが多い。円形のように長手方向と短手方向が定まらない形状の場合、何れの方向を主たる拭方向とすることもできる。清掃布を清掃布保持用ヘッド等に保持して使用する場合の保持態様が定まっていればその清掃布の主たる拭方向も定まることが多い。
【実施例】
【００５０】
本発明の実施例を、図面を参照しつつ説明する。
【００５１】
図１乃至図３は何れも本発明の１実施例としての清掃布についてのものであって、図１は模式底面図、図２は模式平面図、図３は要部模式縦断面図である。
【００５２】
この実施例の清掃布Ａは、長柄付きの清掃布保持用ヘッド（図示しない）に保持した状態で床面等を拭いて清掃を行うためのものである。
【００５３】
清掃布Ａは、ポリエステル織布製のシート状基部Ｓの短手方向両側に、それぞれ長手方向の全長にわたる長方形状の側縁部Ｓ１を有し、シート状基部Ｓの短手方向における両側縁部Ｓ１の間の長手方向全長にわたる長方形状部分における底面側に、ポリエステル／ナイロンマイクロファイバー製のループ状のパイルＰ（シート状基部Ｓの底面からのパイル長は約５ｍｍでほぼ一定）により構成された拭清掃部Ｃを備える。
【００５４】
清掃布Ａを清掃布保持用ヘッドに保持する場合、拭清掃部Ｃを下方側にして清掃布保持用ヘッドの下側にシート状基部Ｓを位置させ、拭清掃部Ｃの短手方向両側の側縁部Ｓ１をそれぞれ清掃布保持用ヘッドの上側においてクリップ部等の保持部により保持する。
【００５５】
拭清掃部Ｃには、先端部がパイルＰの先端位置よりも約２ｍｍ突出する多数の導電性立毛体Ｅ（シート状基部Ｓの底面からの全長は約７ｍｍ）を有する。この導電性立毛体Ｅは、導電性糸Ｔ（導電性を有する可撓性条体）をシート状基部Ｓに対し長手方向に縫着しつつ、拭清掃部Ｃを構成するパイルＰの先端位置よりも先端部が突出する多数のループを形成することにより設けられている。これらのループは、基端部がシート状基部Ｓに結合している多数のループ状の導電性立毛体Ｅを構成するものである。
【００５６】
導電性立毛体Ｅを形成する導電性糸Ｔは、拭清掃部Ｃの短手方向の一端の端縁部付近から他端の端縁部付近に至るまで多数本（１０本）が平行状に設けられている。各導電性糸Ｔは、シート状基部Ｓに対し長手方向の全長にわたり縫着されてそれぞれ多数の導電性立毛体Ｅを形成している。このようにして、拭清掃部Ｃ全体に多数の導電性立毛体Ｅが満遍なく設けられている。
【００５７】
この例における導電性糸Ｔは、アクリルとポリエステルの混紡糸であって、硫化銅が化学結合されることにより導電性が付与されたものである。
【００５８】
この清掃布Ａの場合、導電性糸Ｔからなる多数の導電性立毛体Ｅの先端部が拭清掃部ＣにおけるパイルＰの先端位置よりも突出しているため、拭清掃部Ｃにより清掃対象を拭いた際に、導電性立毛体ＥのうちパイルＰよりも突出した部分が、清掃対象に対し線接触状に接触することとなる。
【００５９】
従って、拭清掃部Ｃにより清掃対象を拭くことによって、拭清掃部Ｃを構成するパイルＰが清掃対象の表面に接しつつ移動すると共に、多数の導電性立毛体Ｅが、それぞれ、清掃対象の表面に線接触状に比較的広く触れつつ清掃が行われる。
【００６０】
そのため、パイルＰにより構成された拭清掃部Ｃをシート状基部Ｓの底面に備えた清掃布Ａを用いて、パイルＰにより構成された拭清掃部Ｃにより清掃対象を拭いた場合に、清掃対象が帯電していたとしても、清掃対象について効果的に除電することができ、帯電による塵埃付着を防いで清掃による効果を高めることができる。
【００６１】
導電性立毛体Ｅによって清掃対象から除電された電荷は、例えば、コロナ放電等により大気に放電されることにより、或いは、導電性立毛体Ｅから、清掃作業者および／または清掃布保持器具を経て、大地等に逃げることにより、清掃布Ａから失われる。特に、電荷が清掃作業者および／または清掃布保持器具を経て大地等７に逃げる場合、シート状基部Ｓの上面に露出した導電性糸Ｔ（導電性立毛体Ｅに導電可能に接続されてシート状基部Ｓの上面に露出した導電部）を通じ、清掃作業者および／または清掃布保持器具を経て、大地等に効果的に逃がすことができ、除電効果及び清掃効果を高めることができる。
【００６２】
また、この清掃布Ａにおいては、１０本の導電性糸Ｔ毎に、多数の導電性立毛体Ｅからなる導電性立毛体群を構成している。各導電性立毛体群は、１本の導電性糸Ｔからなるものであるため、その導電性立毛体群を構成する導電性立毛体Ｅが互いに導電可能に接続されている。よって、多数の導電性立毛体Ｅが互いに導電可能に接続されることにより除電効果が高まると共に、コロナ放電がより効果的に行われ得る。
【００６３】
また、この清掃布Ａは、拭清掃部Ｃ全体に多数の導電性立毛体Ｅが満遍なく設けられているので、何れの方向において拭清掃部Ｃを移動させつつ清掃対象を拭いた場合にも、より効果的に清掃対象の除電を行って、清掃効果を高めることができる。
【００６４】
なお、上記拭清掃部Ｃのうち短手方向の一端の端縁部付近又は両端の端縁部付近の導電性糸Ｔのみを設けることにより、拭清掃部Ｃの主な拭方向における一端の端縁部付近の全長又は両端の各端縁部付近の全長にわたり、多数の導電性立毛体Ｅが満遍なく設けられている清掃布Ａを得ることができる。また、拭清掃部Ｃのうち短手方向の両端の端縁部付近の導電性糸Ｔに加えて、拭清掃部Ｃのうち長手方向の両端の端縁部付近にもそれぞれ短手方向に導電性糸を設けてループ上の導電性立毛体Ｅを形成することにより、拭清掃部Ｃの周縁部付近の全周にわたり、多数の導電性立毛体Ｅが満遍なく設けられている清掃布Ａを得ることができる。
【００６５】
以上の実施の形態及び実施例についての記述における構成部品の寸法、個数、材質、形状、その相対配置などは、特にそれらに限定される旨の記載がない限りは、この発明の範囲をそれらのみに限定する趣旨のものではない。
【図面の簡単な説明】
【００６６】
【図１】模式底面図である。
【図２】模式平面図である。
【図３】要部拡大模式縦断面図である。
【符号の説明】
【００６７】
Ａ      清掃布
Ｃ      拭清掃部
Ｅ      導電性立毛体
Ｐ      パイル
Ｓ      シート状基部
Ｓ１    側縁部
Ｔ      導電性糸
【図１】
2008278915.tif 000003
【図２】
2008278915.tif 000004
【図３】
2008278915.tif 000005